(57)【要約】【課題】コスト上昇を抑えながら防湿性、防水性を確保できる表示装置を提供する。【解決手段】表カバー１と、この表カバー１を通じて観察者Ｐに情報表示を行う表示部２１，２２を有する表示手段２と、観察者Ｐからみて表示部２１，２２の裏側に配置されるケース３と、観察者Ｐからみてケース３の裏側に配置されると共に当該ケース３によってその表面が覆われる回路基板４と、観察者Ｐからみて回路基板４の裏面を覆う裏カバー５とを備え、回路基板４の表裏面のうち少なくとも一方の面であってケース３または裏カバー３に対面する箇所に所定の接続部品４５との半田付け部４６，４７が位置する表示装置において、裏カバー５に半田付け部４７を包囲すると共に回路基板４の裏面Ｒ（基板面）に接する周壁部５１を設けた。【選択図】図２
2007271356.tif 000002
【特許請求の範囲】
【請求項１】
表カバーと、この表カバーを通じて観察者に情報表示を行う表示部を有する表示手段と、前記観察者からみて前記表示部の裏側に配置されるケースと、前記観察者からみて前記ケースの裏側に配置されると共に当該ケースによってその表面が覆われる回路基板と、前記観察者からみて前記回路基板の裏面を覆う裏カバーとを備え、前記回路基板の表裏面のうち少なくとも一方の面であって前記ケースまたは裏カバーに対面する箇所に所定の接続部品との半田付け部が位置する表示装置において、前記ケースまたは前記裏カバーの少なくとも一方に前記半田付け部を包囲すると共に回路基板の基板面に接する周壁部を設け、この周壁部にて包囲された前記半田付け部が前記周壁部の内部雰囲気中に露出していることを特徴とする表示装置。
【請求項２】
前記周壁部に対応する前記回路基板の基板面箇所に位置合わせ用のマーキングを施したことを特徴とする請求項１記載の表示装置。
【発明の詳細な説明】
【技術分野】
【０００１】
本発明は、例えば車両のダッシュボードに搭載され、観察者（主にドライバー）に情報表示を行う計器等の表示装置に係わる。
【背景技術】
【０００２】
この種の表示装置として、例えば下記特許文献１に記載されているものが知られている。
この表示装置は、表カバーと、これら表カバーを通じて観察者に情報表示を行う表示部を備えた表示手段と、観察者からみて（以降同じ）表示部の裏側に配置されるケースと、このケースの裏側に配置される回路基板と、回路基板の裏側を覆う裏カバーとを備えている。
【０００３】
表カバーは、透明材料からなる透視カバーやこの透視カバーを支持する表フレーム、この表フレーム内を区画する縁取り部材で構成されている。表示手段は、指針と文字板とで車速を表示する速度計や走行距離情報をデジタル表示する液晶パネル、発光により各種状態を警報・報知するインジケータからなる表示部を有している。ケースは表示部を支持したり表示部に光を導く支持体兼照明部品として機能する他、回路基板の表側を全体的に覆うカバーとしての役割も有している。回路基板には、表示手段を照明する発光ダイオードからなる光源や表示手段を動作させるための回路素子をはじめ、表示部のうち液晶パネルや指針を動作させるためのステッピングモータの各接続端子あるいはコネクタ等からなる接続部品が半田付けにより導通接続されている。裏カバーは、ケースとの間に回路基板を収納するもので、回路基板の裏側を全体的に覆うものである。
【特許文献１】特開２００４−１０１４８２号公報（図１）
【発明の開示】
【発明が解決しようとする課題】
【０００４】
ところで、回路基板には前記のように様々な接続部品が半田付け接続されており、この際、半田付けにより基板面上に形成された半田付け部は、例えばアクリル系の耐湿コート剤からなる防湿被膜にて覆われ、湿気や水分から保護されている。このような防湿被膜は、液体からなる耐湿コート剤を基板面に吹き付けた後、乾燥することにより形成されるが、例えば回路基板の端部や貫通孔、切り欠きの近傍に位置する半田付け部が存在する場合は耐湿コート剤を吹き付けた後に、回路基板の端部や貫通孔、切り欠きを通じて液だれが生じやすい。このため、例えばマスキング処理等の特別な対策が必要となり、コストアップの原因となっていた。
本発明はこの点に着目してなされたもので、その主な目的は、コスト上昇を抑えながら半田付け部の防湿性、防湿性を確保することが可能な表示装置を提供することにある。
【課題を解決するための手段】
【０００５】
本発明は、前述した課題を解決するため、表カバーと、この表カバーを通じて観察者に情報表示を行う表示部を有する表示手段と、前記観察者からみて前記表示部の裏側に配置されるケースと、前記観察者からみて前記ケースの裏側に配置されると共に当該ケースによってその表面が覆われる回路基板と、前記観察者からみて前記回路基板の裏面を覆う裏カバーとを備え、前記回路基板の表裏面のうち少なくとも一方の面であって前記ケースまたは裏カバーに対面する箇所に所定の接続部品との半田付け部が位置する表示装置において、前記ケースまたは前記裏カバーの少なくとも一方に前記半田付け部を包囲すると共に回路基板の基板面に接する周壁部を設け、この周壁部にて包囲された前記半田付け部が前記周壁部の内部雰囲気中に露出していることを特徴とする。
【０００６】
また本発明は、前記周壁部に対応する前記回路基板の基板面箇所に位置合わせ用のマーキングを施したことを特徴とする。
【発明の効果】
【０００７】
本発明によれば、コスト上昇を抑えながら半田付け部の防湿性を確保することができる。
【発明を実施するための最良の形態】
【０００８】
以下、添付図面に基づいて、自動車用計器に本発明による表示装置を適用した場合を例として実施形態を説明する。
【０００９】
図１から図４は、本発明の第１の実施形態を示す。図１は表示装置の正面図、図２は、図１のＡ−Ａに沿った概略断面図、図３は裏カバーの要部を示す斜視図、図４は回路基板の要部を示す斜視図である。
【００１０】
本実施形態による表示装置は、図１及び図２に示すように、表カバー１と、この表カバーを通じて観察者Ｐに情報表示を行う表示手段２と、観察者Ｐからみて表示手段２の裏側に配置されるケース３と、観察者Ｐからみてケース３の裏側に配置されると共に当該ケース３によってその表面Ｆが覆われる回路基板４と、観察者Ｐからみて回路基板４の裏面Ｒを覆う裏カバー５とを備えている。
【００１１】
表カバー１は、透明材料からなる透視カバー１１と、この透視カバー１１を支持する遮光性材料からなる表フレーム１２とで構成されている。これら透視カバー１１と表フレーム１２はそれぞれが合成樹脂からなる。
【００１２】
表示手段２は、指針ＰＴと文字板ＰＮとで車速を表示する速度計（表示部）２１と、走行距離情報をデジタル表示する液晶パネル（表示部）２２と、指針ＰＴを動作させるステッピングモータ（駆動部）２３とを有している。この場合、駆動部としてのステッピングモータ２３の本体部は回路基板４の裏側に配置されている。
【００１３】
指針ＰＴは、透明な合成樹脂からなり文字板ＰＮの後述する指標部を指示する指示部と、この指示部の回転中心を覆う指針カバーとからなり、ステッピングモータ２３の回転軸に連結されている。
【００１４】
文字板ＰＮは、透明な合成樹脂シートに印刷を施してなる周知な印刷文字板で、指針ＰＴの指示対象となる指標部Ｍと、その背景部ＢＧとを備え、指標部Ｍは光透過性に、背景部ＢＧは遮光性を有するように印刷形成されている。
【００１５】
ケース３は、表示手段２のうち、文字板ＰＮと液晶パネル２２を支持したり、表示手段に光を導く支持体兼照明部品として機能する他、回路基板４の表側を全体的に覆うカバーとしての役割も有している。
【００１６】
回路基板４には、表示手段２の各表示部２１，２２を照明する発光ダイオードからなる光源４１と、液晶パネル２２のリード４２と、ステッピングモータ２３の図示しない端子と、液晶パネル２２及びステッピングモータ２３を動作させるための回路素子４３，４４とからなる接続部品４５が導通接続されている。
【００１７】
これら接続部品４５のうち、光源４１と回路素子４３は、回路基板４の表面Ｆ側に半田付け接続されている。本例の場合、これら光源４１と回路素子４３は、表面実装デバイス（ＳＭＤ）からなるので、周知なリフロー半田付け法にて回路基板４の図示しない回路パターンの表面に半田付けされている。なおリフロー半田付け法により形成された半田付け部は図示省略した。
【００１８】
一方、液晶パネル２２のリード４２と回路素子４３は、回路基板４の裏面Ｒに半田付けされている。本例の場合、液晶パネル２２はリード接続タイプであり、回路素子４４は、ディスクリート部品からなるので、リード４２と回路素子４４のリード端子は、回路基板４の貫通孔を通じて回路基板４の裏面Ｒに突出し、周知なフロー半田法により半田付けされ、半田付け部４６，４７を形成している。
【００１９】
そして、リフロー半田付け法により形成された前記半田付け部の全てと、フロー半田法により半田付けされた半田付け部４６，４７のうち、半田付け部４６は、それらの表面が例えばアクリル系の耐湿コート剤からなる防湿被膜４８にて覆われ、湿気や水分から保護されている。
【００２０】
なお図２では、半田付け部４６に施された防湿被膜４８のみ示すが、この防湿被膜４８は、リフロー半田付け法により形成された前記半田付け部の全てについても施されている。
【００２１】
防湿被膜４８は、液体からなる耐湿コート剤を回路基板４の基板面に吹き付けた後、乾燥することにより形成されるものである。
【００２２】
半田付け部４６，４７のうち、回路基板４の端部に位置する半田付け部４７は、防湿被膜４８によって被覆されておらず、半田それ自体が露出している。これは回路基板４の端部に形成した半田付け部４７が液だれしやすいことに対応したもので、防湿被膜４８が無いことによる湿気や水分対策（防湿対策）は、裏カバー５に形成した後述する周壁部によって行うようにしている。
【００２３】
裏カバー５は、ケース３との間に回路基板４を収納し、回路基板の裏面Ｒ側を全体的に覆うもので、防湿被膜４８の無い半田付け部４７に対面する箇所には、周壁部５１が形成されている。
【００２４】
周壁部５１は、図３にも示すように、裏カバー５の半田付け部４７の周囲に対面する箇所から、半田付け部４７の周囲を連続して（完全に）包囲しつつ回路基板４の裏面Ｒに向けて延びる四角形の筒状体からなり、その回路基板４側の端面５２は、組み付け状体において、回路基板４の裏面Ｒに接触するように設定されている。
【００２５】
これにより周壁部５１と回路基板４の裏面とで形成される内部雰囲気（空間）中に半田付け部４７が露出することになるが、当該空間は裏カバー５内において密閉空間となるため、防湿被膜４８が無くても、湿気や水分の進入を抑制することかできる。なお裏カバー５自体は、周壁部５１のように、回路基板４の裏面Ｒを密閉する機能はなく、放熱性を考慮して部分的に外部雰囲気中に開口している。
【００２６】
一方、周壁部５１の端面５２が当接する回路基板４の裏面Ｒ箇所には、位置合わせ用のマーキング４９が例えば印刷により設けられている。
【００２７】
このマーキング４９は、周壁部５１の形状に対応したもので、これにより回路基板４上における周壁部５１の当接エリアを表示でき、基板設計のアートワーク作業の作業性を向上させるものである。
【００２８】
以上のように、本実施形態によれば、表カバー１と、この表カバー１を通じて観察者Ｐに情報表示を行う表示部２１，２２を有する表示手段２と、観察者Ｐからみて表示部２１，２２の裏側に配置されるケース３と、観察者Ｐからみてケース３の裏側に配置されると共に当該ケース３によってその表面が覆われる回路基板４と、観察者Ｐからみて回路基板４の裏面を覆う裏カバー５とを備え、回路基板４の表裏面のうち少なくとも一方の面であってケース３または裏カバー３に対面する箇所に所定の接続部品４５との半田付け部４６，４７が位置する表示装置において、裏カバー５に半田付け部４７を包囲すると共に回路基板４の裏面Ｒ（基板面）に接する周壁部５１を設け、この周壁部５１にて包囲された半田付け部４７が周壁部５１の内部雰囲気中に露出していることにより、半田付け部４７を耐湿被膜４８で覆わなくても周壁部５１にて防湿、防水対策ができるので、コスト上昇を抑えながら防湿性、防水性を確保することができる。
【００２９】
また本実施形態では、周壁部５１に対応する回路基板４の裏面Ｒ（基板面）箇所に位置合わせ用のマーキング４９を施したことにより、アートワーク作業の作業性を向上させることができる。
【００３０】
なお前記実施形態では、周壁部５１を裏カバー５側に設けたが、回路基板４の表面Ｓ側に周壁部にて囲む半田付け部が存在する場合は、ケース３側に周壁部を設けてもよいし、回路基板４の両面に対象となる半田付け部が存在する場合は、裏カバー５とケース３の双方に周壁部を形成すればよい。
【００３１】
また周壁部５１は、対象となる半田付け部の数に応じて複数設けてもよい。
【００３２】
また周壁部５１の形状は任意であるが、半田付け部の周囲を完全に取り巻くと共に回路基板側の端面５２の全面が回路基板４の基板面に接するのが望ましい。
【００３３】
また前記実施形態では、フロー半田付け法による半田付け部を周壁部５１にて包囲したが、リフロー半田付け法による半田付け部を包囲してもよい。この際、接続部品４５も一緒に周壁部５１で包囲することができる。
【００３４】
また周壁部５１による包囲対象となる半田付け部は、半田付け部であれば任意であり、液だれが懸念されるもの以外であっても、何らかの事情にて耐湿被膜の形成に支障がある半田付け部に本発明を適用してもよい。
【００３５】
図５は本発明の第２の実施形態を示すもので、本実施形態では、周壁部５１が裏カバー５の側壁部５３を一部利用して形成されている場合を示しており、半田付け部４７を密閉状態に取り巻く点は、前記第１の実施形態と同様であり、作用効果も同様である。
【図面の簡単な説明】
【００３６】
【図１】本発明の第１の実施形態による車両用表示装置の正面図。
【図２】図１のＡ−Ａ断面図。
【図３】裏カバーの要部を示す斜視図。
【図４】回路基板の要部を示す斜視図。
【図５】本発明の第２の実施形態を示す要部断面図。
【符号の説明】
【００３７】
１  表カバー
２  表示手段
３  ケース
４  回路基板
５  裏カバー
１１  透視カバー
１２  表フレーム
２１  速度計（表示部）
２２  液晶パネル（表示部）
２３  ステッピングモータ（駆動部）
４１  光源（接続部品４５）
４２  リード（接続部品４５）
４３，４４  回路素子（接続部品４５）
４６，４７  半田付け部
４８  防湿被膜
５１  周壁部
５２  端面
４９  マーキング
ＢＧ  背景部
Ｆ  表面
Ｍ  指標部
Ｐ  観察者
ＰＴ  指針
ＰＮ  文字板
Ｒ  裏面
【図１】
2007271356.tif 000003
【図２】
2007271356.tif 000004
【図３】
2007271356.tif 000005
【図４】
2007271356.tif 000006
【図５】
2007271356.tif 000007